(57)【要約】  ランダムアクセスの方法、周波数スペクトルを報告する方法、端末装置及びネットワーク装置を提供する。該方法は、端末装置がセルサーチによって第１周波数ポイントを取得することと、該端末がシステムブロードキャストメッセージによってネットワーク装置のサポートする第１周波数帯域を取得することと、該端末装置が該第１周波数ポイントに対応する複数の周波数帯域から、該端末装置のサポートする第２周波数帯域を決定することと、該端末装置が、該第１周波数帯域と該第２周波数帯域が同じ周波数帯域であることを決定した場合、該ランダムアクセスのプロセスを開始することと、を含む。本発明の実施例では、該第１周波数帯域と該第２周波数帯域が異なる周波数帯域である場合、端末装置が指示情報を報告することにより、ネットワーク装置は該端末装置のスケジューリング可能な周波数スペクトルの範囲を正確に決定でき、それによって、該ネットワーク装置が該端末装置をスケジューリングする精度を向上させる。
2021504994.tif 000002
【特許請求の範囲】
【請求項１】
ランダムアクセスの方法であって、
端末装置がセルサーチによって第１周波数ポイントを取得することと、
前記端末が、システムブロードキャストメッセージによってネットワーク装置のサポートする第１周波数帯域を取得することと、
前記端末装置が、前記第１周波数ポイントに対応する複数の周波数帯域から、前記端末装置のサポートする第２周波数帯域を決定することと、
前記端末装置が、前記第１周波数帯域と前記第２周波数帯域が同じ周波数帯域であることを決定した場合、前記ランダムアクセスのプロセスを開始することと、を含むことを特徴とするランダムアクセスの方法。
【請求項２】
前記第１周波数帯域と前記第２周波数帯域が異なる周波数帯域である場合、前記端末装置が指示情報を生成し、前記指示情報は、前記ネットワーク装置が前記端末装置のスケジューリング可能な周波数スペクトルの範囲を決定することに用いられ、又は、前記指示情報は、前記周波数スペクトルの範囲を示すことに用いられることと、
前記端末装置が前記ネットワーク装置に前記指示情報を送信することと、を更に含むことを特徴とする請求項１に記載の方法。
【請求項３】
前記指示情報はより具体的に、前記端末装置のサポートする周波数帯域が前記第２周波数帯域であることを示すことに用いられることを特徴とする請求項２に記載の方法。
【請求項４】
前記周波数スペクトルの範囲は、前記第１周波数帯域と前記第２周波数帯域とのオーバーラップ周波数スペクトルによって形成された範囲であることを特徴とする請求項２に記載の方法。
【請求項５】
前記端末装置が指示情報を生成する前に、前記方法は更に、
前記端末装置が前記ネットワーク装置から送信された第１マッピング関係情報を受信し、前記第１マッピング関係情報は、前記複数の周波数帯域と複数のリソースとの対応関係を含み、前記複数のリソースのうちの各リソースは、プリアンブル及び／又は物理ランダムアクセス制御チャネル（ＰＲＡＣＨ）リソースを含むことと、
前記端末装置が前記第２周波数帯域及び前記第１マッピング関係情報に基づいて、前記第２周波数帯域に対応する第１リソースを決定することと、を含み、
前記端末装置が前記ネットワーク装置に前記指示情報を送信することは、
前記端末装置が前記第１リソースを介してランダムアクセスのプロセスを開始し、そして前記第１リソースを介して、前記端末装置のサポートする周波数帯域が前記第２周波数帯域であることを示すことを含むことを特徴とする請求項２に記載の方法。
【請求項６】
前記端末装置が指示情報を生成する前に、前記方法は更に、
前記端末装置が前記ネットワーク装置から送信された第２マッピング関係情報を受信し、前記第２マッピング関係情報は、複数のインデックスと前記複数の周波数帯域との対応関係を含み、前記複数のインデックスは互いに異なることと、
前記端末装置が前記第２周波数帯域及び前記第２マッピング関係情報に基づいて、前記第２周波数帯域に対応する第１インデックスを決定することと、を含み、
前記端末装置が前記ネットワーク装置に前記指示情報を送信することは、
前記端末装置が前記ネットワーク装置に前記第１インデックスを送信し、前記第１インデックスは、前記端末装置のサポートするチャネルが前記第２周波数帯域であることを示すことに用いられることを含むことを特徴とする請求項２に記載の方法。
【請求項７】
前記端末装置が前記ネットワーク装置に前記指示情報を送信することは、
前記端末装置が前記ネットワークにメディアアクセス制御（ＲＲＣ）メッセージを送信し、前記ＲＲＣメッセージは前記指示情報を含むことを含むことを特徴とする請求項２〜６のいずれか１項に記載の方法。
【請求項８】
ランダムアクセスの方法であって、
ネットワーク装置がシステムブロードキャストの方式によって端末装置に前記ネットワーク装置のサポートする第１周波数帯域を送信することと、
前記ネットワーク装置が前記端末装置の開始したランダムアクセスのプロセスに応答することと、を含むことを特徴とするランダムアクセスの方法。
【請求項９】
前記方法は更に、
前記ネットワーク装置が前記端末装置から送信された指示情報を受信し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることを含み、
前記ネットワーク装置が前記端末装置の開始したランダムアクセスのプロセスに応答することは、
前記ネットワーク装置が前記周波数スペクトルの範囲に基づいて、前記ランダムアクセスのプロセスに応答することを含むことを特徴とする請求項８に記載の方法。
【請求項１０】
前記指示情報はより具体的に、前記端末装置のサポートする周波数帯域が前記第２周波数帯域であることを示すことに用いられることを特徴とする請求項９に記載の方法。
【請求項１１】
前記周波数スペクトルの範囲は、前記第１周波数帯域と前記第２周波数帯域とのオーバーラップ周波数スペクトルによって形成された範囲であることを特徴とする請求項９に記載の方法。
【請求項１２】
前記ネットワーク装置が前記端末装置から送信された指示情報を受信する前に、前記方法は更に、
前記ネットワーク装置が前記端末装置に第１マッピング関係情報を送信し、前記第１マッピング関係情報は、前記複数の周波数帯域と複数のリソースとの対応関係を含み、前記複数のリソースのうちの各リソースは、プリアンブル及び／又は物理ランダムアクセス制御チャネル（ＰＲＡＣＨ）リソースを含むことを含み、
前記ネットワーク装置が前記端末装置から送信された指示情報を受信することは、
前記ネットワーク装置が、前記端末装置がランダムアクセスのプロセスを開始する時に使用する第１リソースを決定することと、
前記ネットワーク装置が、前記第１マッピング関係情報に基づいて、前記第１リソースに対応する第２周波数帯域を前記端末装置のサポートする周波数帯域として決定することと、を含むことを特徴とする請求項９に記載の方法。
【請求項１３】
前記ネットワーク装置が前記端末装置から送信された指示情報を受信する前に、前記方法は更に、
前記ネットワーク装置が前記端末装置に第２マッピング関係情報を送信し、前記第２マッピング関係情報は、複数のインデックスと前記複数の周波数帯域との対応関係を含み、前記複数のインデックスは互いに異なることを含み、
前記ネットワーク装置が前記端末装置から送信された指示情報を受信することは、
前記ネットワーク装置が前記端末装置から送信された第１インデックスを受信することと、
前記ネットワーク装置が前記第２マッピング関係情報及び前記第１インデックスに基づいて、前記第１インデックスに対応する第２周波数帯域を前記端末装置のサポートする周波数帯域として決定することと、を含むことを特徴とする請求項９に記載の方法。
【請求項１４】
前記ネットワーク装置が前記端末装置から送信された指示情報を受信することは、
前記ネットワーク装置が前記端末装置から送信されたメディアアクセス制御（ＲＲＣ）メッセージを受信し、前記ＲＲＣメッセージは前記指示情報を含むことを含むことを特徴とする請求項９〜１３のいずれか１項に記載の方法。
【請求項１５】
前記端末装置がセルサーチによって第１周波数ポイントを取得することと、
前記端末装置が前記第１周波数ポイントに対応する複数の周波数帯域から、前記端末装置のサポートする第２周波数帯域を決定することと、
前記端末装置が前記第２周波数帯域に基づいて指示情報を生成し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることと、
前記端末装置が前記ネットワーク装置に前記指示情報を送信することと、を含むことを特徴とする、周波数スペクトルを報告する方法。
【請求項１６】
前記指示情報はより具体的に、前記端末装置のサポートする周波数帯域が前記第２周波数帯域であることを示すことに用いられることを特徴とする請求項１５に記載の方法。
【請求項１７】
前記端末装置が前記指示情報に基づいて、前記ネットワーク装置にランダムアクセスのプロセスを開始することを更に含むことを特徴とする請求項１５又は１６に記載の方法。
【請求項１８】
ネットワーク装置が前記端末装置から送信された指示情報を受信し、前記指示情報は、  ネットワーク装置が前記端末装置のスケジューリング可能な周波数スペクトルの範囲を決定することに用いられ、又は、前記指示情報は、前記周波数スペクトルの範囲を示すことに用いられることと、
前記ネットワーク装置が前記指示情報に基づいて、前記周波数スペクトルの範囲を決定することと、を含むことを特徴とする、周波数スペクトルを報告する方法。
【請求項１９】
前記指示情報はより具体的に、前記端末装置のサポートする周波数帯域が前記第２周波数帯域であることを示すことに用いられることを特徴とする請求項１８に記載の方法。
【請求項２０】
前記ネットワーク装置が前記周波数スペクトルの範囲に基づいて、前記端末装置の開始したランダムアクセスのプロセスに応答することを更に含むことを特徴とする請求項１８又は１９に記載の方法。
【請求項２１】
端末装置であって、
セルサーチによって第１周波数ポイントを取得することに用いられる処理ユニットと、
システムブロードキャストメッセージによってネットワーク装置のサポートする第１周波数帯域を取得することに用いられる送受信ユニットと、を備え、
前記処理ユニットは更に、
前記第１周波数ポイントに対応する複数の周波数帯域から、前記端末装置のサポートする第２周波数帯域を決定することと、前記第１周波数帯域と前記第２周波数帯域が同じ周波数帯域であることを決定した場合、前記ランダムアクセスのプロセスを開始することとに用いられることを特徴とする端末装置。
【請求項２２】
前記処理ユニットは更に、
前記第１周波数帯域と前記第２周波数帯域が異なる周波数帯域である場合、指示情報を生成することに用いられ、前記指示情報は、前記ネットワーク装置が前記端末装置のスケジューリング可能な周波数スペクトルの範囲を決定することに用いられ、又は、前記指示情報は、前記周波数スペクトルの範囲を示すことに用いられ、
前記送受信ユニットは更に、
前記ネットワーク装置に前記指示情報を送信することに用いられることを特徴とする請求項２１に記載の端末装置。
【請求項２３】
前記指示情報はより具体的に、前記端末装置のサポートする周波数帯域が前記第２周波数帯域であることを示すことに用いられることを特徴とする請求項２２に記載の端末装置。
【請求項２４】
前記周波数スペクトルの範囲は、前記第１周波数帯域と前記第２周波数帯域とのオーバーラップ周波数スペクトルによって形成された範囲であることを特徴とする請求項２２に記載の端末装置。
【請求項２５】
前記送受信ユニットは更に、
前記処理ユニットが指示情報を生成する前に、前記ネットワーク装置から送信された第１マッピング関係情報を受信することに用いられ、前記第１マッピング関係情報は、前記複数の周波数帯域と複数のリソースとの対応関係を含み、前記複数のリソースのうちの各リソースは、プリアンブル及び／又は物理ランダムアクセス制御チャネル（ＰＲＡＣＨ）リソースを含み、
前記処理ユニットは更に、
前記第２周波数帯域及び前記第１マッピング関係情報に基づいて、前記第２周波数帯域に対応する第１リソースを決定することと、
前記第１リソースを介してランダムアクセスのプロセスを開始し、そして前記第１リソースを介して、前記端末装置のサポートする周波数帯域が前記第２周波数帯域であることを示すこととに用いられることを特徴とする請求項２２に記載の端末装置。
【請求項２６】
前記送受信ユニットは更に、
前記処理ユニットが指示情報を生成する前に、前記ネットワーク装置から送信された第２マッピング関係情報を受信することに用いられ、前記第２マッピング関係情報は、複数のインデックスと前記複数の周波数帯域との対応関係を含み、前記複数のインデックスは互いに異なり、
前記処理ユニットは更に、前記第２周波数帯域及び前記第２マッピング関係情報に基づいて、前記第２周波数帯域に対応する第１インデックスを決定することに用いられ、
前記送受信ユニットは更に、前記ネットワーク装置に前記第１インデックスを送信することに用いられ、前記第１インデックスは、前記端末装置のサポートするチャネルが前記第２周波数帯域であることを示すことに用いられることを特徴とする請求項２２に記載の端末装置。
【請求項２７】
前記送受信ユニットは具体的に、
前記ネットワークにメディアアクセス制御（ＲＲＣ）メッセージを送信することに用いられ、前記ＲＲＣメッセージは前記指示情報を含むことを特徴とする請求項２２〜２６のいずれか１項に記載の端末装置。
【請求項２８】
ネットワーク装置であって、
システムブロードキャストの方式によって端末装置に前記ネットワーク装置のサポートする第１周波数帯域を送信することに用いられる送受信ユニットと、
前記端末装置の開始したランダムアクセスのプロセスに応答することに用いられる処理ユニットと、を備えることを特徴とするネットワーク装置。
【請求項２９】
前記送受信ユニットは更に、
前記端末装置から送信された指示情報を受信することに用いられ、前記指示情報は、ネットワーク装置が前記端末装置のスケジューリング可能な周波数スペクトルの範囲を決定することに用いられ、又は、前記指示情報は、前記周波数スペクトルの範囲を示すことに用いられ、
前記処理ユニットは具体的に、
前記周波数スペクトルの範囲に基づいて、前記ランダムアクセスのプロセスに応答することに用いられることを特徴とする請求項２８に記載のネットワーク装置。
【請求項３０】
前記指示情報はより具体的に、前記端末装置のサポートする周波数帯域が前記第２周波数帯域であることを示すことに用いられることを特徴とする請求項２９に記載のネットワーク装置。
【請求項３１】
前記周波数スペクトルの範囲は、前記第１周波数帯域と前記第２周波数帯域とのオーバーラップ周波数スペクトルによって形成された範囲であることを特徴とする請求項２９に記載のネットワーク装置。
【請求項３２】
前記送受信ユニットは具体的に、
前記端末装置から送信された指示情報を受信する前に、前記端末装置に第１マッピング関係情報を送信し、前記第１マッピング関係情報は、前記複数の周波数帯域と複数のリソースとの対応関係を含み、前記複数のリソースのうちの各リソースは、プリアンブル及び／又は物理ランダムアクセス制御チャネル（ＰＲＡＣＨ）リソースを含むことと、
前記端末装置がランダムアクセスのプロセスを開始する時に使用する第１リソースを決定することと、
前記第１マッピング関係情報に基づいて、前記第１リソースに対応する第２周波数帯域を前記端末装置のサポートする周波数帯域として決定することとに用いられることを特徴とする請求項２９に記載のネットワーク装置。
【請求項３３】
前記送受信ユニットは具体的に、
前記端末装置から送信された指示情報を受信する前に、前記端末装置に第２マッピング関係情報を送信し、前記第２マッピング関係情報は、複数のインデックスと前記複数の周波数帯域との対応関係を含み、前記複数のインデックスは互いに異なることと、
前記端末装置から送信された第１インデックスを受信することと、
前記第２マッピング関係情報及び前記第１インデックスに基づいて、前記第１インデックスに対応する第２周波数帯域を前記端末装置のサポートする周波数帯域として決定することとに用いられることを特徴とする請求項２９に記載のネットワーク装置。
【請求項３４】
前記送受信ユニットはより具体的に、
前記端末装置から送信されたメディアアクセス制御（ＲＲＣ）メッセージを受信することに用いられ、前記ＲＲＣメッセージは前記指示情報を含むことを特徴とする請求項２９〜３３のいずれか１項に記載のネットワーク装置。
【請求項３５】
端末装置であって、処理ユニットと送受信ユニットとを備え、
前記処理ユニットは、
セルサーチによって第１周波数ポイントを取得することと、
前記第１周波数ポイントに対応する複数の周波数帯域から、前記端末装置のサポートする第２周波数帯域を決定することと、
前記第２周波数帯域に基づいて指示情報を生成し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることとに用いられ、
前記送受信ユニットは、前記ネットワーク装置に前記指示情報を送信することに用いられることを特徴とする端末装置。
【請求項３６】
前記指示情報はより具体的に、前記端末装置のサポートする周波数帯域が前記第２周波数帯域であることを示すことに用いられることを特徴とする請求項３５に記載の端末装置。
【請求項３７】
前記処理ユニットは更に、
前記指示情報に基づいて、前記ネットワーク装置にランダムアクセスのプロセスを開始することに用いられることを特徴とする請求項３５又は３６に記載の端末装置。
【請求項３８】
ネットワーク装置であって、
前記端末装置から送信された指示情報を受信することに用いられ、前記指示情報は、ネットワーク装置が前記端末装置のスケジューリング可能な周波数スペクトルの範囲を決定することに用いられ、又は、前記指示情報は、前記周波数スペクトルの範囲を示すことに用いられる送受信ユニットと、
前記指示情報に基づいて、前記周波数スペクトルの範囲を決定することに用いられる処理ユニットと、を備えることを特徴とするネットワーク装置。
【請求項３９】
前記指示情報はより具体的に、前記端末装置のサポートする周波数帯域が前記第２周波数帯域であることを示すことに用いられることを特徴とする請求項３８に記載のネットワーク装置。
【請求項４０】
前記処理ユニットは更に、
前記周波数スペクトルの範囲に基づいて、前記端末装置の開始したランダムアクセスのプロセスに応答することに用いられることを特徴とする請求項３８又は３９に記載のネットワーク装置。
【発明の詳細な説明】
【技術分野】
【０００１】
本発明の実施例は通信分野に関し、より具体的に、ランダムアクセスの方法、周波数スペクトルを報告する方法、端末装置及びネットワーク装置に関する。
【背景技術】
【０００２】
人々の速度、遅延、高速移動性、効率に対する追求、及び将来の生活における業務の多様性、複雑性への対応として、第３世代パートナーシッププロジェクト（３ＧＰＰ、Ｔｈｅ  ３ｒｄ  Ｇｅｎｅｒａｔｉｏｎ  Ｐａｒｔｎｅｒｓｈｉｐ  Ｐｒｏｊｅｃｔ）国際標準組織は第５世代移動通信技術（５Ｇ、５−Ｇｅｎｅｒａｔｉｏｎ）の開発を始める。新エアインタフェース（ＮＲ、Ｎｅｗ  Ｒａｄｉｏ）の初期デプロイでは、完全なＮＲカバレッジは獲得しにくいため、典型的なネットワークカバレッジは広域の長期進化（ＬＴＥ、Ｌｏｎｇ  Ｔｅｒｍ  Ｅｖｏｌｕｔｉｏｎ）カバレッジとＮＲの離島カバレッジモードである。そして、大量のＬＴＥが６ギガヘルツ（ＧＨｚ）以下にデプロイされているため、５Ｇに利用できる６ＧＨｚ以下の周波数スペクトルは少ない。そのため、ＮＲでは６ＧＨｚ以上の周波数スペクトルの応用を研究しなければならないが、高い周波数帯域のカバレッジは限られており、信号の衰退が速い。
【０００３】
従来技術では、端末装置のアップリンク電力が制限され、且つＮＲの周波数スペクトル（周波数が高く、伝搬損失が高い）の周波数が高いため、アップリンクカバレッジが制限され、アップリンクカバレッジを高めるために、ＬＴＥ周波数スペクトル（相対的に周波数が低い）を補助アップリンク周波数スペクトルとして利用する（即ち、補助アップリンクキャリアが存在する）ことで、アップリンクカバレッジを高めることができる。
【０００４】
しかし、補助アップリンク（ＳＵＬ）を有するシーンでは、ＳＵＬの設定情報に帯域幅に関する設定情報がなく、同様に、正常なＮＲセルでは、ＵＥはセルサーチからセルの周波数ポイント情報を取得するのみであり、セルダウンリンク帯域幅に関する情報はない。
【０００５】
そして、現在の周波数帯域構成では、ある２つの周波数帯域の周波数範囲がオーバーラップする場合、即ち、１つの周波数ポイントが複数の周波数帯域に対応する場合があるが、端末装置は該複数の周波数帯域のうちの１つしかサポートしない可能性がある。例えば、端末装置は該ＮＲセルの周波数ポイントの位置する周波数帯域をサポートしなく、該周波数帯域の位置する他の周波数帯域をサポートする。すなわち、ネットワーク装置は端末装置のサポートする周波数スペクトルの範囲を知らなく、そのため、ネットワーク装置が端末装置をスケジューリングする際に、該端末装置のサポートする周波数範囲を超えた場合、データの送受信が失敗してしまう。
【発明の概要】
【発明が解決しようとする課題】
【０００６】
ランダムアクセスの方法、周波数スペクトルを報告する方法、端末装置及びネットワーク装置を提供する。ネットワーク装置が端末装置をスケジューリングする精度を効果的に高めることができる。
【課題を解決するための手段】
【０００７】
第１態様ではランダムアクセスの方法を提供し、該方法は、
端末装置がセルサーチによって第１周波数ポイントを取得することと、
前記端末がシステムブロードキャストメッセージによってネットワーク装置のサポートする第１周波数帯域を取得することと、
前記端末装置が前記第１周波数ポイントに対応する複数の周波数帯域から、前記端末装置のサポートする第２周波数帯域を決定することと、
前記端末装置が、前記第１周波数帯域と前記第２周波数帯域が同じ周波数帯域であることを決定した場合、前記ランダムアクセスのプロセスを開始することと、を含む。
【０００８】
本発明の実施例では、該第１周波数帯域と該第２周波数帯域が異なる周波数帯域である場合、端末装置が指示情報を報告することにより、ネットワーク装置は該端末装置のスケジューリング可能な周波数スペクトルの範囲を正確に決定でき、それによって、該ネットワーク装置が該端末装置をスケジューリングする精度を向上させる。
【０００９】
幾つかの可能な実現方式において、前記方法は更に、
前記第１周波数帯域と前記第２周波数帯域が異なる周波数帯域である場合、前記端末装置が指示情報を生成し、前記指示情報は、前記ネットワーク装置が前記端末装置のスケジューリング可能な周波数スペクトルの範囲を決定することに用いられ、又は、前記指示情報は、前記周波数スペクトルの範囲を示すことに用いられることと、
前記端末装置が前記ネットワーク装置に前記指示情報を送信することと、を含む。
【００１０】
幾つかの可能な実現方式では、前記指示情報はより具体的に、前記端末装置のサポートする周波数帯域が前記第２周波数帯域であることを示すことに用いられる。
【００１１】
幾つかの可能な実現方式では、前記周波数スペクトルの範囲は、前記第１周波数帯域と前記第２周波数帯域とのオーバーラップ周波数スペクトルによって形成された範囲である。
【００１２】
幾つかの可能な実現方式では、前記端末装置が指示情報を生成する前に、前記方法は更に、
前記端末装置が前記ネットワーク装置から送信された第１マッピング関係情報を受信し、前記第１マッピング関係情報は、前記複数の周波数帯域と複数のリソースとの対応関係を含み、前記複数のリソースのうちの各リソースは、プリアンブル及び／又は物理ランダムアクセス制御チャネル（ＰＲＡＣＨ）リソースを含むことと、
前記端末装置が前記第２周波数帯域及び前記第１マッピング関係情報に基づいて、前記第２周波数帯域に対応する第１リソースを決定することと、を含み、
前記端末装置が前記ネットワーク装置に前記指示情報を送信することは、
前記端末装置が前記第１リソースを介してランダムアクセスのプロセスを開始し、そして前記第１リソースを介して、前記端末装置のサポートする周波数帯域が前記第２周波数帯域であることを示すことを含む。
【００１３】
幾つかの可能な実現方式では、前記端末装置が指示情報を生成する前に、前記方法は更に、
前記端末装置が前記ネットワーク装置から送信された第２マッピング関係情報を受信し、前記第２マッピング関係情報は、複数のインデックスと前記複数の周波数帯域との対応関係を含み、前記複数のインデックスは互いに異なることと、
前記端末装置が前記第２周波数帯域及び前記第２マッピング関係情報に基づいて、前記第２周波数帯域に対応する第１インデックスを決定することと、を含み、
前記端末装置が前記ネットワーク装置に前記指示情報を送信することは、
前記端末装置が前記ネットワーク装置に前記第１インデックスを送信し、前記第１インデックスは、前記端末装置のサポートするチャネルが前記第２周波数帯域であることを示すことに用いられることを含む。
【００１４】
幾つかの可能な実現方式では、前記端末装置が前記ネットワーク装置に前記指示情報を送信することは、
前記端末装置が前記ネットワークにメディアアクセス制御（ＲＲＣ）メッセージを送信し、前記ＲＲＣメッセージは前記指示情報を含むことを含む。
【００１５】
第２態様ではランダムアクセスの方法を提供し、該方法は、
ネットワーク装置がシステムブロードキャストの方式によって端末装置に前記ネットワーク装置のサポートする第１周波数帯域を送信することと、
前記ネットワーク装置が前記端末装置の開始したランダムアクセスのプロセスに応答することと、を含む。
【００１６】
幾つかの可能な実現方式では、前記方法は更に、
前記ネットワーク装置が前記端末装置から送信された指示情報を受信し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることを含み、
前記ネットワーク装置が前記端末装置の開始したランダムアクセスのプロセスに応答することは、
前記ネットワーク装置が前記周波数スペクトルの範囲に基づいて、前記ランダムアクセスのプロセスに応答することを含む。
【００１７】
幾つかの可能な実現方式では、前記指示情報はより具体的に、前記端末装置のサポートする周波数帯域が前記第２周波数帯域であることを示すことに用いられる。
【００１８】
幾つかの可能な実現方式では、前記周波数スペクトルの範囲は、前記第１周波数帯域と前記第２周波数帯域とのオーバーラップ周波数スペクトルによって形成された範囲である。
【００１９】
幾つかの可能な実現方式では、前記ネットワーク装置が前記端末装置から送信された指示情報を受信する前に、前記方法は更に、
前記ネットワーク装置が前記端末装置に第１マッピング関係情報を送信し、前記第１マッピング関係情報は、前記複数の周波数帯域と複数のリソースとの対応関係を含み、前記複数のリソースのうちの各リソースは、プリアンブル及び／又は物理ランダムアクセス制御チャネル（ＰＲＡＣＨ）リソースを含むことを含み、
前記ネットワーク装置が前記端末装置から送信された指示情報を受信することは、
前記ネットワーク装置が、前記端末装置がランダムアクセスのプロセスを開始する時に使用する第１リソースを決定することと、
前記ネットワーク装置が前記第１マッピング関係情報に基づいて、前記第１リソースに対応する第２周波数帯域を前記端末装置のサポートする周波数帯域として決定することと、を含む。
【００２０】
幾つかの可能な実現方式では、前記ネットワーク装置が前記端末装置から送信された指示情報を受信する前に、前記方法は更に、
前記ネットワーク装置が前記端末装置に第２マッピング関係情報を受信し、前記第２マッピング関係情報は、複数のインデックスと前記複数の周波数帯域との対応関係を含み、  前記複数のインデックスは互いに異なることを含み、
前記ネットワーク装置が前記端末装置から送信された指示情報を受信することは、
前記ネットワーク装置が前記端末装置から送信された第１インデックスを受信することと、
前記ネットワーク装置が前記第２マッピング関係情報及び前記第１インデックスに基づいて、前記第１インデックスに対応する第２周波数帯域を前記端末装置のサポートする周波数帯域として決定することと、を含む。
【００２１】
幾つかの可能な実現方式では、前記ネットワーク装置が前記端末装置から送信された指示情報を受信することは、
前記ネットワーク装置が前記端末装置から送信されたメディアアクセス制御（ＲＲＣ）メッセージを受信し、前記ＲＲＣメッセージは前記指示情報を含むことを含む。
【００２２】
第３態様では、周波数スペクトルを報告する方法を提供し、該方法は、
前記端末装置がセルサーチによって第１周波数ポイントを取得することと、
前記端末装置が前記第１周波数ポイントに対応する複数の周波数帯域から、前記端末装置のサポートする第２周波数帯域を決定することと、
前記端末装置が前記第２周波数帯域に基づいて指示情報を生成し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることと、
前記端末装置が前記ネットワーク装置に前記指示情報を送信することと、を含む。
【００２３】
本発明の実施例では、該第１周波数帯域と該第２周波数帯域が異なる周波数帯域である場合、端末装置が指示情報を報告することにより、ネットワーク装置は該端末装置のスケジューリング可能な周波数スペクトルの範囲を正確に決定でき、それによって、該ネットワーク装置が該端末装置をスケジューリングする精度を向上させる。
【００２４】
幾つかの可能な実現方式では、前記指示情報はより具体的に、前記端末装置のサポートする周波数帯域が前記第２周波数帯域であることを示すことに用いられる。
【００２５】
幾つかの可能な実現方式では、前記方法は更に、
前記端末装置が前記指示情報に基づいて、前記ネットワーク装置にランダムアクセスのプロセスを開始することを含む。
【００２６】
第４態様では、周波数スペクトルを報告する方法を提供し、該方法は、
ネットワーク装置が前記端末装置から送信された指示情報を受信し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることと、
前記ネットワーク装置が前記指示情報に基づいて、前記周波数スペクトルの範囲を決定することと、を含む。
【００２７】
幾つかの可能な実現方式では、前記指示情報はより具体的に、前記端末装置のサポートする周波数帯域が前記第２周波数帯域であることを示すことに用いられる。
【００２８】
幾つかの可能な実現方式では、前記方法は更に、
前記ネットワーク装置が前記周波数スペクトルの範囲に基づいて、前記端末装置の開始したランダムアクセスのプロセスに応答することを含む。
【００２９】
第５態様では端末装置を提供し、該端末装置は、
セルサーチによって第１周波数ポイントを取得することに用いられる処理ユニットと、
システムブロードキャストメッセージによって、ネットワーク装置のサポートする第１周波数帯域を取得することに用いられる送受信ユニットと、を備え、
前記処理ユニットは更に、
前記第１周波数ポイントに対応する複数の周波数帯域から、前記端末装置のサポートする第２周波数帯域を決定することと、
前記第１周波数帯域と前記第２周波数帯域が同じ周波数帯域であることを決定した場合、前記ランダムアクセスのプロセスを開始することとに用いられる。
【００３０】
第６態様では端末装置を提供し、該端末装置は、
セルサーチによって第１周波数ポイントを取得することに用いられるプロセッサと、
システムブロードキャストメッセージによって、ネットワーク装置のサポートする第１周波数帯域を取得することに用いられる送受信機と、を備え、
前記プロセッサは更に、
前記第１周波数ポイントに対応する複数の周波数帯域から、前記端末装置のサポートする第２周波数帯域を決定することと、
前記第１周波数帯域と前記第２周波数帯域が同じ周波数帯域であることを決定した場合、前記ランダムアクセスのプロセスを開始することとに用いられる。
【００３１】
第７態様ではネットワーク装置を提供し、該ネットワーク装置は、
システムブロードキャストの方式によって、端末装置に前記ネットワーク装置のサポートする第１周波数帯域を送信することに用いられる送受信ユニットと、
前記端末装置の開始したランダムアクセスのプロセスに応答することに用いられる処理ユニットと、を備える。
【００３２】
第８態様ではネットワーク装置を提供し、該ネットワーク装置は、
システムブロードキャストの方式によって、端末装置に前記ネットワーク装置のサポートする第１周波数帯域を送信することに用いられる送受信機と、
前記端末装置の開始したランダムアクセスのプロセスに応答することに用いられるプロセッサと、を備える。
【００３３】
第９態様では端末装置を提供し、該端末装置は、
セルサーチによって第１周波数ポイントを取得することと、前記第１周波数ポイントに対応する複数の周波数帯域から、前記端末装置のサポートする第２周波数帯域を決定することと、前記第２周波数帯域に基づいて指示情報を生成し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることとに用いられる処理ユニットと、
前記ネットワーク装置に前記指示情報を送信することに用いられる送受信ユニットと、を備える。
【００３４】
第１０態様では端末装置を提供し、該端末装置は、
セルサーチによって第１周波数ポイントを取得することと、前記第１周波数ポイントに対応する複数の周波数帯域から、前記端末装置のサポートする第２周波数帯域を決定することと、前記第２周波数帯域に基づいて指示情報を生成し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることとに用いられるプロセッサと、
前記ネットワーク装置に前記指示情報を送信することに用いられる送受信機と、を備える。
【００３５】
第１１態様ではネットワーク装置を提供し、該ネットワーク装置は、
前記端末装置から送信された指示情報を受信することに用いられ、前記指示情報は、ネットワーク装置が前記端末装置のスケジューリング可能な周波数スペクトルの範囲を決定することに用いられ、又は、前記指示情報は、前記周波数スペクトルの範囲を示すことに用いられる送受信ユニットと、
前記指示情報に基づいて前記周波数スペクトルの範囲を決定することに用いられる処理ユニットと、を備える。
【００３６】
第１２態様ではネットワーク装置を提供し、該ネットワーク装置は、
前記端末装置から送信された指示情報を受信することに用いられ、前記指示情報は、ネットワーク装置が前記端末装置のスケジューリング可能な周波数スペクトルの範囲を決定することに用いられ、又は、前記指示情報は、前記周波数スペクトルの範囲を示すことに用いられる送受信機と、
前記指示情報に基づいて前記周波数スペクトルの範囲を決定することに用いられるプロセッサと、を備える。
【００３７】
第１３態様ではコンピュータプログラムを記憶するためのコンピュータ可読媒体を提供し、該コンピュータプログラムは上記第１態様〜第４態様のうちのいずれか１つの態様の方法実施例を実行するための命令を含む。
【００３８】
第１４態様ではコンピュータチップを提供し、該コンピュータチップは入力インタフェース、出力インタフェース、少なくとも１つのプロセッサ、メモリを含み、前記プロセッサは前記メモリにおけるコードを実行することに用いられ、前記コードが実行される時、前記プロセッサは上記第１態様〜第４態様における方法におけるネットワーク装置により実行される各過程を実現できる。
【００３９】
第１５態様ではコンピュータチップを提供し、該コンピュータチップは入力インタフェース、出力インタフェース、少なくとも１つのプロセッサ、メモリを含み、前記プロセッサは前記メモリにおけるコードを実行することに用いられ、前記コードが実行される時、前記プロセッサは上記第１態様〜第４態様における端末装置により実行される各過程を実現できる。
【００４０】
第１６態様では前述したネットワーク装置と端末装置を備える通信システムを提供する。
【図面の簡単な説明】
【００４１】
【図１】図１は本発明の応用シーンの例である。
【図２】図２は本発明の実施例のランダムアクセスを決定する方法の模式的なフローチャートである。
【図３】図３は本発明の実施例の周波数スペクトルを報告する方法の模式的なフローチャートである。
【図４】図４は本発明の実施例の端末装置の模式的なブロック図である。
【図５】図５は本発明の実施例の他の端末装置の模式的なブロック図である。
【図６】図６は本発明の実施例のネットワーク装置の模式的なブロック図である。
【図７】図７は本発明の実施例の他のネットワーク装置の模式的なブロック図である。
【発明を実施するための形態】
【００４２】
図１は本発明の実施例の応用シーンの例である。
【００４３】
図１に示すように、端末装置は１つのダウンリンクキャリアと２つのアップリンクキャリア（図１に示すように、第１アップリンクキャリアと第２アップリンクキャリア）を有してもよい。具体的に、該第１アップリンクキャリアとダウンリンクキャリアはＮＲ高周波数帯域でのキャリアであってもよく、該第２アップリンクキャリアはＬＴＥ低周波数帯域でのキャリアであってもよい。理解されるように、図１に示す端末装置が２つのアップリンクキャリアを有することは単に例示的なものであり、本発明の実施例は具体的な限定をしない。例えば、該端末装置は３つのアップリンクキャリアをサポートしてもよい。
【００４４】
理解されるように、第２アップリンクキャリアを導入する目的は、ＮＲ高周波数帯域のアップリンクカバレッジを高めることである。
【００４５】
具体的に、端末装置のアップリンク電力が制限され、且つＮＲの周波数スペクトル（周波数が高く、伝搬損失が高い）の周波数が高いため、ＮＲのアップリンクカバレッジが制限され、アップリンクカバレッジを高めるために、本発明の実施例ではデータを伝送する方法を提供する。ＬＴＥ周波数スペクトル（相対的に周波数が低い）を補助アップリンクキャリアとして利用することで、アップリンクカバレッジ効果を高めることができる。
【００４６】
例えば、第１アップリンクキャリアと第２アップリンクキャリアの組み合わせは、ＬＴＥにおけるキャリアアグリゲーション（ＣＡ）に類似してもよいが、対応するダウンリンクが設定されていない。即ち、周波数帯域（ｂａｎｄ）の組み合わせの角度から見ると、第２アップリンクキャリアはアップリンクのみがあり、対応するダウンリンクが設定されていないセルであるが、そのアップリンクはあるダウンリンクキャリアに制御され、すなわち、第２アップリンクキャリアが設定されると、第２アップリンクキャリアはダウンリンクのない補助サービングセル（ＳＣｅｌｌ）であり、第２アップリンクキャリアに対する制御は主サービングセル（ＰＣｅｌｌ）に依存する。
【００４７】
理解されるように、本発明の実施例は複数のアップリンクを含む任意の通信システムに適用できる。例えば、該第１通信システムと該第２通信システムは、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等の様々な通信システムであってもよい。
【００４８】
また、本発明はネットワーク装置（該第１ネットワーク装置〜第４ネットワーク装置）及び端末装置を組み合わせて各実施例を説明する。
【００４９】
ネットワーク装置とはネットワーク側の任意の、信号を送受信するためのエンティティを指してもよく、例えば、機器類通信（ＭＴＣ）のユーザ装置、ＧＳＭ又はＣＤＭＡにおける基地局（ＢＴＳ、Ｂａｓｅ  Ｔｒａｎｓｃｅｉｖｅｒ  Ｓｔａｔｉｏｎ）、ＷＣＤＭＡにおける基地局（ＮｏｄｅＢ）、ＬＴＥにおける進化型基地局（ｅＮＢ又はｅＮｏｄｅＢ、Ｅｖｏｌｕｔｉｏｎａｌ  Ｎｏｄｅ  Ｂ）、５Ｇネットワークにおける基地局装置等であってもよい。
【００５０】
端末装置は任意の端末装置であってもよい。具体的に、端末装置は無線アクセスネットワーク（ＲＡＮ、Ｒａｄｉｏ  Ａｃｃｅｓｓ  Ｎｅｔｗｏｒｋ）を介して１つ又は複数のコアネットワーク（Ｃｏｒｅ  Ｎｅｔｗｏｒｋ）と通信してもよく、アクセス端末、ユーザ装置（ＵＥ、Ｕｓｅｒ  Ｅｑｕｉｐｍｅｎｔ）、加入者ユニット、加入者局、移動局、トラバーサー、遠隔局、遠隔端末、移動装置、ユーザ端末、端末、無線通信装置、ユーザエージェント又はユーザデバイスと称されてもよい。例えば、セルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えるハンドヘルド装置、計算装置又は無線モデムに接続される他の処理装置、車載装置、ウェアラブル装置及び５Ｇネットワークにおける端末装置等であってもよい。
【００５１】
ランダムアクセスのプロセスから分かるように、ＳＵＬの設定情報に帯域幅に関する設定情報がなく、同様に、正常なＮＲセルでは、ＵＥはセルサーチからセルの周波数ポイント情報を取得するのみであり、セルダウンリンク帯域幅に関する情報はない。
【００５２】
そして、現在の周波数帯域構成では、ある２つの周波数帯域の周波数範囲がオーバーラップする場合、即ち、１つの周波数ポイントが複数の周波数帯域に対応する場合があるが、端末装置は該複数の周波数帯域のうちの１つしかサポートしない可能性がある。例えば、端末装置は該ＮＲセルの周波数ポイントの位置する周波数帯域をサポートしなく、該周波数帯域の位置する他の周波数帯域をサポートする。すなわち、ネットワーク装置は端末装置のサポートする周波数スペクトルの範囲を知らなく、そのため、ネットワーク装置が端末装置をスケジューリングする際に、該端末装置のサポートする周波数範囲を超えた場合、データの送受信が失敗してしまう。
【００５３】
従って、本発明の実施例では、ランダムアクセスの方法及び周波数スペクトルを報告する方法を提出する。ネットワーク装置が該端末装置のサポートする周波数帯域又は周波数スペクトルの範囲を知ることができるようにし、さらに、ネットワーク装置が端末装置にリソースを割り当てる精度を向上させる。
【００５４】
次は、図２を参照しながら、本発明の実施例におけるランダムアクセスのステップ２１０〜２２０を説明する。
【００５５】
２１０では、端末装置は第１周波数ポイントと第１周波数帯域を取得する。
【００５６】
２２０では、端末装置はネットワーク装置にランダムアクセスのプロセスを開始する。
【００５７】
具体的に、端末装置はセルサーチによって第１周波数ポイントを取得し、該端末はシステムブロードキャストメッセージによってネットワーク装置のサポートする第１周波数帯域を取得し、該端末装置は該第１周波数ポイントに対応する複数の周波数帯域から、該端末装置のサポートする第２周波数帯域を決定し、該端末装置は、該第１周波数帯域と該第２周波数帯域が同じ周波数帯域であることを決定した場合、該ランダムアクセスのプロセスを開始する。それに対応して、ネットワーク装置はシステムブロードキャストの方式によって、端末装置に該ネットワーク装置のサポートする第１周波数帯域を送信し、そして該端末装置の開始したランダムアクセスのプロセスに応答する。
【００５８】
より具体的に、端末装置にとって、端末装置が該第１周波数帯域をサポートする場合、該端末装置は正常にランダムアクセスのプロセスを開始する。
【００５９】
例えば、ネットワーク装置はシステムブロードキャストの方式によって、端末装置に該ネットワーク装置のサポートする周波数帯域１を送信し、端末装置が該周波数帯域１をサポートする場合、端末装置は正常にランダムアクセスのプロセスを開始し、そのような状況では、ネットワーク装置は該周波数帯域１において該端末装置をスケジューリングするが、該端末装置のサポートする周波数範囲を超えない。
【００６０】
しかし、該端末装置が該第１周波数帯域をサポートしない場合、端末装置がネットワーク装置に情況を説明しないと、ネットワーク装置は該第１周波数帯域において端末装置をスケジューリングする可能性が大きく、そうすると、ネットワーク装置が端末装置をスケジューリングする時に該端末装置のサポートする周波数範囲を超え、データ送受信の失敗を招く。
【００６１】
本発明の実施例では、上記の課題を解決するために、端末装置は指示情報を介して、該端末装置のスケジューリング可能な周波数スペクトルの範囲をネットワーク装置に示し、又は直接に該周波数スペクトルの範囲を示す。
【００６２】
具体的に、該第１周波数帯域と該第２周波数帯域が異なる周波数帯域である場合、該端末装置は指示情報を生成し、該指示情報は、該ネットワーク装置が該端末装置のスケジューリング可能な周波数スペクトルの範囲を決定することに用いられ、又は、該指示情報は、該周波数スペクトルの範囲を示すことに用いられ、該端末装置は該ネットワーク装置に該指示情報を送信する。ネットワーク装置にとって、該ネットワーク装置は該端末装置から送信された指示情報を受信し、そして該周波数スペクトルの範囲に基づいて、該ランダムアクセスのプロセスに応答する。
【００６３】
本発明の実施例では、該第１周波数帯域と該第２周波数帯域が異なる周波数帯域である場合、端末装置が指示情報を報告することにより、ネットワーク装置は該端末装置のスケジューリング可能な周波数スペクトルの範囲を正確に決定でき、それによって、該ネットワーク装置が該端末装置をスケジューリングする精度を向上させる。
【００６４】
理解されるように、本発明の実施例における指示情報は、ネットワーク装置に端末装置のサポートする周波数スペクトルの範囲を知らせるように意図されたものであり、本発明の実施例は該指示情報の具体的な形式を限定しない。
【００６５】
例えば、該指示情報はより具体的に、該端末装置のサポートする周波数帯域が該第２周波数帯域であることを示すことに用いられてもよい。具体的に、該端末装置はランダムアクセスのプロセスにおけるメッセージ（ＭＳＧ３）において、該端末装置の該セルでのスケジューリング可能な帯域幅範囲をネットワーク装置に示してもよい。
【００６６】
また例えば、該指示情報は該周波数スペクトルの範囲を示すことに直接に用いられてもよく、更に、該周波数スペクトルの範囲は、該第１周波数帯域と該第２周波数帯域とのオーバーラップ周波数スペクトルによって形成された範囲である。
【００６７】
次は本発明の実施例における、端末装置がネットワーク装置に該指示情報を送信することの実現方式について説明する。
【００６８】
１つの実施例において、端末装置は暗黙的に該ネットワーク装置に示してもよい。
【００６９】
例えば、該端末装置は指示情報を生成する前に、該端末装置は該ネットワーク装置から送信された第１マッピング関係情報を受信し、該第１マッピング関係情報は、該複数の周波数帯域と複数のリソースとの対応関係を含み、該複数のリソースのうちの各リソースは、プリアンブル及び／又は物理ランダムアクセス制御チャネル（ＰＲＡＣＨ）リソースを含み、これにより、端末装置のサポートする周波数帯域が第２周波数帯域である場合、該端末装置は該第２周波数帯域及び該第１マッピング関係情報に基づいて、該第２周波数帯域に対応する第１リソースを決定することができ、それで、該端末装置は該第１リソースを介してランダムアクセスのプロセスを開始し、そして該第１リソースを介して、該端末装置のサポートする周波数帯域が該第２周波数帯域であることを示す。
【００７０】
ネットワーク装置にとって、該ネットワーク装置は該端末装置がランダムアクセスのプロセスを開始する時に使用する第１リソースを決定し、該ネットワーク装置は該第１マッピング関係情報に基づいて、該第１リソースに対応する第２周波数帯域を該端末装置のサポートする周波数帯域として決定する。
【００７１】
具体的に、該端末装置はランダムアクセスのプロセスにおけるメッセージ（ＭＳＧ３）において、該端末装置のサポートする周波数帯域をネットワーク装置に示してもよい。
【００７２】
また例えば、該端末装置は該ネットワーク装置から送信された第２マッピング関係情報を受信し、該第２マッピング関係情報は、複数のインデックスと該複数の周波数帯域との対応関係を含み、該複数のインデックスは互いに異なり、これにより、端末装置のサポートする周波数帯域が第２周波数帯域である場合、該端末装置は該第２周波数帯域及び該第２マッピング関係情報に基づいて、該第２周波数帯域に対応する第１インデックスを決定することができ、それで、該端末装置は該ネットワーク装置に該第１インデックスを送信し、該第１インデックスは、該端末装置のサポートするチャネルが該第２周波数帯域であることを示すことに用いられる。
【００７３】
ネットワーク装置にとって、該ネットワーク装置は該端末装置から送信された第１インデックスを受信し、そして該第２マッピング関係情報及び該第１インデックスに基づいて、該第１インデックスに対応する第２周波数帯域を該端末装置のサポートする周波数帯域として決定する。
【００７４】
具体的に、該端末装置はランダムアクセスのプロセスにおけるメッセージ（ＭＳＧ３）において、該端末装置のサポートする周波数帯域をネットワーク装置に示してもよい。
【００７５】
他の１つの実施例においては、該端末装置は明示的に該ネットワーク装置に示してもよい。
【００７６】
例えば、該端末装置は該ネットワークにメディアアクセス制御（ＲＲＣ）メッセージを送信し、該ＲＲＣメッセージは該指示情報を含む。
【００７７】
理解されるように、本発明の実施例において、上記端末装置がネットワークに指示情報を送信し、該指示情報の形式は例示的な説明であり、本発明の実施例はこれに限らない。
【００７８】
例えば、該指示情報は、該端末装置のサポートしない周波数帯域を示すことに用いられてもよい。
【００７９】
例として、本発明の実施例において、第１周波数ポイントは周波数帯域１と周波数帯域２に対応し、該ネットワーク装置のサポートする周波数帯域は周波数帯域１であり、該端末装置のサポートする周波数帯域は周波数帯域２である。そうすると、該端末装置は該端末装置のサポートする周波数帯域が周波数帯域１であることを示してもよく、該端末装置は該端末装置のサポートしない周波数帯域が周波数帯域２であることを示してもよい。
【００８０】
ネットワーク装置は該指示情報を受信した後、該第１周波数ポイントに対応する周波数帯域１と周波数帯域２、及び該指示情報に基づいて、該端末装置のスケジューリング可能な周波数スペクトルの範囲を決定できる。
【００８１】
図３は本発明の実施例の周波数スペクトルを報告する方法の模式的なフローチャートである。
【００８２】
図３に示すように、該方法は、
端末装置が第１周波数ポイントを取得する３１０と、
該端末装置が該第１周波数ポイントに対応する複数の周波数帯域から、該端末装置のサポートする第２周波数帯域を決定する３２０と、
該端末装置が該第２周波数帯域に基づいて指示情報を生成する３３０と、
該端末装置が該ネットワーク装置に指示情報を送信する３４０と、を含む。
【００８３】
具体的に、該端末装置はセルサーチによって第１周波数ポイントを取得し、該端末装置は該第１周波数ポイントに対応する複数の周波数帯域から、該端末装置のサポートする第２周波数帯域を決定し、該端末装置は該第２周波数帯域に基づいて指示情報を生成し、該指示情報は、ネットワーク装置が該端末装置のスケジューリング可能な周波数スペクトルの範囲を決定することに用いられ、又は、該指示情報は、該周波数スペクトルの範囲を示すことに用いられ、該端末装置は該ネットワーク装置に該指示情報を送信する。言い換えると、ネットワーク装置は該端末装置から送信された指示情報を受信し、そして該指示情報に基づいて該周波数スペクトルの範囲を決定する。
【００８４】
更に、該指示情報はより具体的に、該端末装置のサポートする周波数帯域が該第２周波数帯域であることを示すことに用いられる。
【００８５】
選択肢として、該端末装置は該指示情報に基づいて、該ネットワーク装置にランダムアクセスのプロセスを開始する。該ネットワーク装置は該周波数スペクトルの範囲に基づいて、該端末装置の開始したランダムアクセスのプロセスに応答する。
【００８６】
図４は本発明の実施例の端末装置の模式的なブロック図である。
【００８７】
本発明の実施例では端末装置を提供し、具体的に、図４に示すように、該端末装置は、
セルサーチによって第１周波数ポイントを取得することに用いられる処理ユニット４１０と、
システムブロードキャストメッセージによって、ネットワーク装置のサポートする第１周波数帯域を取得することに用いられる送受信ユニット４２０と、を備え、
該処理ユニット４１０は更に、
該第１周波数ポイントに対応する複数の周波数帯域から、該端末装置のサポートする第２周波数帯域を決定することと、
該第１周波数帯域と該第２周波数帯域が同じ周波数帯域であることを決定した場合、該ランダムアクセスのプロセスを開始することとに用いられる。
【００８８】
選択肢として、該処理ユニット４１０は更に、
該第１周波数帯域と該第２周波数帯域が異なる周波数帯域である場合、指示情報を生成することに用いられ、該指示情報は、該ネットワーク装置が該端末装置のスケジューリング可能な周波数スペクトルの範囲を決定することに用いられ、又は、該指示情報は、該周波数スペクトルの範囲を示すことに用いられ、
該送受信ユニット４２０は更に、
該ネットワーク装置に該指示情報を送信することに用いられる。
【００８９】
選択肢として、該指示情報はより具体的に、該端末装置のサポートする周波数帯域が該第２周波数帯域であることを示すことに用いられる。
【００９０】
選択肢として、該周波数スペクトルの範囲は、該第１周波数帯域と該第２周波数帯域とのオーバーラップ周波数スペクトルによって形成された範囲である。
【００９１】
選択肢として、該送受信ユニット４２０は更に、
該処理ユニット４１０が指示情報を生成する前に、前記ネットワーク装置から送信された第１マッピング関係情報を受信することに用いられ、該第１マッピング関係情報は、該複数の周波数帯域と複数のリソースとの対応関係を含み、該複数のリソースのうちの各リソースは、プリアンブル及び／又は物理ランダムアクセス制御チャネル（ＰＲＡＣＨ）リソースを含み、
該処理ユニット４１０は更に、
該第２周波数帯域及び該第１マッピング関係情報に基づいて、該第２周波数帯域に対応する第１リソースを決定することと、
該端末装置が該第１リソースを介してランダムアクセスのプロセスを開始し、そして該第１リソースを介して、該端末装置のサポートする周波数帯域が該第２周波数帯域であることを示すこととに用いられる。
【００９２】
選択肢として、該送受信ユニット４２０は更に、
該処理ユニット４１０が指示情報を生成する前に、該ネットワーク装置から送信された第２マッピング関係情報を受信することに用いられ、該第２マッピング関係情報は、複数のインデックスと該複数の周波数帯域との対応関係を含み、該複数のインデックスは互いに異なり、
該処理ユニット４１０は更に、該第２周波数帯域及び該第２マッピング関係情報に基づいて、該第２周波数帯域に対応する第１インデックスを決定することに用いられ、
該送受信ユニット４２０は更に、該ネットワーク装置に該第１インデックスを送信することに用いられ、該第１インデックスは、該端末装置のサポートするチャネルが該第２周波数帯域であることを示すことに用いられる。
【００９３】
選択肢として、該送受信ユニット４２０は具体的に、
該ネットワークにメディアアクセス制御（ＲＲＣ）メッセージを送信することに用いられ、該ＲＲＣメッセージは該指示情報を含む。
【００９４】
本発明の実施例では他の端末装置を提供し、具体的に、図４に示すように、該端末装置は、
セルサーチによって第１周波数ポイントを取得することと、該第１周波数ポイントに対応する複数の周波数帯域から、該端末装置のサポートする第２周波数帯域を決定することと、該第２周波数帯域に基づいて指示情報を生成し、該指示情報は、ネットワーク装置が該端末装置のスケジューリング可能な周波数スペクトルの範囲を決定することに用いられ、又は、該指示情報は、該周波数スペクトルの範囲を示すことに用いられることとに用いれる処理ユニット４１０と、
該ネットワーク装置に該指示情報を送信することに用いられる送受信ユニット４２０と、を備える。
【００９５】
選択肢として、該指示情報はより具体的に、該端末装置のサポートする周波数帯域が該第２周波数帯域であることを示すことに用いられる。
【００９６】
選択肢として、該処理ユニット４１０は更に、
該指示情報に基づいて、該ネットワーク装置にランダムアクセスのプロセスを開始することに用いられる。
【００９７】
なお、処理ユニット４１０はプロセッサによって実現されてもよく、送受信ユニット４２０は送受信機によって実現されてもよい。図５に示すように、端末装置５００はプロセッサ５１０、送受信機５２０及びメモリ５３０を備えてもよい。メモリ５３０は指示情報を記憶することに用いられてもよく、更にプロセッサ５１０の実行するコード、命令等を記憶することに用いられてもよい。端末装置５００における各構成要素はバスシステムを介して相互接続し、バスシステムはデータバスに加えて、更に電源バス、制御バス及び状態信号バスを含む。
【００９８】
図５に示す端末装置５００は前述の図２及び図３に示す方法実施例における端末装置により実現される各過程を実現でき、重複を避けるために、ここでは繰り返して説明しない。
【００９９】
図６は本発明の実施例のネットワーク装置の模式的なブロック図である。
【０１００】
本発明の実施例ではネットワーク装置を提供し、具体的に、図６に示すように、該ネットワーク装置は、
システムブロードキャストの方式によって、端末装置に該ネットワーク装置のサポートする第１周波数帯域を送信することに用いられる送受信ユニット６１０と、
該端末装置の開始したランダムアクセスのプロセスに応答することに用いられる処理ユニット６２０と、を備える。
【０１０１】
選択肢として、該送受信ユニット６１０は更に、
該端末装置から送信された指示情報を受信することに用いられ、該指示情報は、ネットワーク装置が該端末装置のスケジューリング可能な周波数スペクトルの範囲を決定することに用いられ、又は、該指示情報は、該周波数スペクトルの範囲を示すことに用いられ、
該処理ユニット６２０は具体的に、
該周波数スペクトルの範囲に基づいて、該ランダムアクセスのプロセスに応答することに用いられる。
【０１０２】
選択肢として、該指示情報はより具体的に、該端末装置のサポートする周波数帯域が該第２周波数帯域であることを示すことに用いられる。
【０１０３】
選択肢として、該周波数スペクトルの範囲は、該第１周波数帯域と該第２周波数帯域とのオーバーラップ周波数スペクトルによって形成された範囲である。
【０１０４】
選択肢として、該送受信ユニット６１０は具体的に、
該端末装置から送信された指示情報を受信する前に、該端末装置に第１マッピング関係情報を送信し、該第１マッピング関係情報は、該複数の周波数帯域と複数のリソースとの対応関係を含み、該複数のリソースのうちの各リソースは、プリアンブル及び／又は物理ランダムアクセス制御チャネル（ＰＲＡＣＨ）リソースを含むことと、
該端末装置がランダムアクセスのプロセスを開始する時に使用する第１リソースを決定することと、
該第１マッピング関係情報に基づいて、該第１リソースに対応する第２周波数帯域を該端末装置のサポートする周波数帯域として決定することとに用いられる。
【０１０５】
選択肢として、該送受信ユニット６１０は具体的に、
該端末装置から送信された指示情報を受信する前に、該端末装置に第２マッピング関係情報を送信し、該第２マッピング関係情報は、複数のインデックスと該複数の周波数帯域との対応関係を含み、該複数のインデックスは互いに異なることと、
該端末装置から送信された第１インデックスを受信することと、
該第２マッピング関係情報及び該第１インデックスに基づいて、該第１インデックスに対応する第２周波数帯域を該端末装置のサポートする周波数帯域として決定することとに用いられる。
【０１０６】
選択肢として、該送受信ユニット６１０はより具体的に、
該端末装置から送信されたメディアアクセス制御（ＲＲＣ）メッセージを受信することに用いられ、該ＲＲＣメッセージは該指示情報を含む。
【０１０７】
本発明の実施例では他のネットワーク装置を提供し、具体的に、図４に示すように、該ネットワーク装置は、
該端末装置から送信された指示情報を受信することに用いられ、該指示情報は、ネットワーク装置が該端末装置のスケジューリング可能な周波数スペクトルの範囲を決定することに用いられ、又は、該指示情報は、該周波数スペクトルの範囲を示すことに用いられる送受信ユニット６１０と、
該指示情報に基づいて該周波数スペクトルの範囲を決定することに用いられる処理ユニット６２０と、を備える。
【０１０８】
選択肢として、該指示情報はより具体的に、該端末装置のサポートする周波数帯域が該第２周波数帯域であることを示すことに用いられる。
【０１０９】
選択肢として、該処理ユニット６２０は更に、
該周波数スペクトルの範囲に基づいて、該端末装置の開始したランダムアクセスのプロセスに応答することに用いられる。
【０１１０】
なお、送受信ユニット６１０は送受信機によって実現されてもよく、処理ユニット６２０はプロセッサによって実現されてもよい。図７に示すように、ネットワーク装置７００はプロセッサ７１０、送受信機７２０及びメモリ７３０を備えてもよい。メモリ７３０は指示情報を記憶することに用いられてもよく、更にプロセッサ７１０の実行するコード、命令等を記憶することに用いられてもよい。ネットワーク装置７００における各構成要素はバスシステムを介して相互接続し、バスシステムはデータバスに加えて、更に電源バス、制御バス及び状態信号バスを含む。
【０１１１】
図７に示すネットワーク装置７００は前述の図２及び図３に示す方法実施例におけるネットワーク装置により実現される各過程を実現でき、重複を避けるために、ここでは繰り返して説明しない。
【０１１２】
理解されるように、本発明の実施例における方法実施例はプロセッサに適用されてもよく、又はプロセッサによって実現されてもよい。
【０１１３】
実現過程において、本発明の実施例における方法実施例の各ステップはプロセッサにおけるハードウェアの集積論理回路又はソフトウェア形式の命令で遂行できる。より具体的に、本発明の実施例に開示される方法のステップは、ハードウェアデコードプロセッサで遂行し、又はデコードプロセッサにおけるハードウェア及びソフトウェアモジュールの組み合わせで遂行するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサがメモリにおける情報を読み取り、そのハードウェアと組み合わせて上記方法のステップを遂行する。
【０１１４】
プロセッサは信号処理能力を有する集積回路チップである可能性があり、本発明の実施例に開示される各方法、ステップ及び論理ブロック図を実現又は実行することができる。例えば、上記のプロセッサは汎用プロセッサ、デジタル信号プロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネント等であってもよい。また、汎用プロセッサはマイクロプロセッサであってもよく、又は該プロセッサは任意の通常のプロセッサ等であってもよい。
【０１１５】
また、本発明の実施例において、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ＲＯＭ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、ｒａｎｄｏｍ  ａｃｃｅｓｓ  ｍｅｍｏｒｙ）であってもよい。理解されるように、上記メモリは例示的であって制限的な記載ではなく、例えば、本発明の実施例におけるメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本明細書に説明されるシステム及び方法のメモリはこれらのメモリ及び任意の他の適切なタイプのメモリを含むが、これらに限らないように意図されている。
【０１１６】
なお、本発明の実施例及び特許請求の範囲において使用される用語は単に特定の実施例を説明するためのものであり、本発明の実施例を制限するためのものではない。
【０１１７】
例えば、本発明の実施例及び特許請求の範囲において使用される単数形の「１つ」、「前記」及び「該」は、前後の文脈によって他の意味が明確に示された場合を除き、複数形も含むように意図されている。
【０１１８】
また例えば、文脈によって、ここで使用される「…時」は「もし」又は「…場合」又は「…際に」又は「決定に応答する」又は「検出に応答する」という意味に解釈されてもよい。それと似ていて、文脈によって、「もし…決定すれば」又は「もし…（説明した条件又は事件を）検出すれば」という表現は、「決定される時」又は「決定に応答する」又は「（説明した条件又は事件を）検出する時」又は「（説明した条件又は事件を）検出することに応答する」という意味に解釈されてもよい。
【０１１９】
当業者であれば意識できるように、本明細書に開示される実施例に記載の各例示的なユニット及びアルゴリズムステップは電子ハードウェア、又はコンピュータソフトウェアと電子ハードウェアの組み合わせで実現できる。それらの機能をハードウェアそれともソフトウェア方式で実行するかは、技術案の特定応用及び設計制約条件によって決定される。当業者は各特定応用に対して異なる方法で説明される機能を実現することができるが、そのような実現は本発明の実施例の範囲を超えると見なされるべきではない。
【０１２０】
当業者であれば明確に理解できるように、説明を容易で簡単にするために、上記説明されたシステム、装置及びユニットの具体的な動作過程については、前述の方法実施例における対応過程を参照でき、ここでは繰り返して説明しない。
【０１２１】
本願による幾つかの実施例において、理解されるように、開示されるシステム、装置及び方法は他の方式で実現されてもよい。例えば、上記の装置の実施例は単に模式的なものであって、例えば、前記ユニットの区分は論理的な機能区分に過ぎず、実際の実施では他の区分方式があってもよく、例えば、複数のユニット又はコンポーネントが組み合わせられても、又は他のシステムに統合されてもよく、又は幾つかの特徴は省略したり、実行しなかったりしてもよい。一方、表示又は検討される相互間の結合又は直接結合又は通信接続は幾つかのインタフェース、装置又はユニットを介した間接結合又は通信接続であってもよく、電気的、機械的、又は他の形態であってもよい。
【０１２２】
分離部材として説明された前記ユニットは物理的に分離してもよく、物理的に分離しなくてもよく、ユニットとして表示された部材は物理ユニットであってもよく、物理ユニットでなくてもよく、すなわち、一箇所に位置してもよく、複数のネットワークユニットに分散されてもよい。実際の需要に応じてその一部又は全部のユニットを選択して、本発明の実施例の目的を実現することができる。
【０１２３】
また、本発明の実施例において、各機能ユニットが１つの処理ユニットに集積されてもよく、各ユニットが独立して物理的に存在してもよく、２つ以上のユニットが１つのユニットに集積されてもよい。
【０１２４】
もしソフトウェア機能ユニットの形で実現され、且つ独立した製品として販売又は使用される場合、１つのコンピュータ読み取り可能な記憶媒体に記憶されてもよい。このような理解に基づいて、本発明の実施例の技術案の本質又は従来技術に貢献する部分又は該技術案の一部はソフトウェア製品の形式で具現されてもよく、該コンピュータソフトウェア製品は１つの記憶媒体に記憶され、１台のコンピュータ装置（パーソナルコンピュータ、サーバ、又はネットワーク装置等であってもよい）に本発明の実施例に記載の方法の全部又は一部のステップを実行させるための若干の命令を含む。前述の記憶媒体はＵＳＢディスク、リムーバブルハードディスク、読み出し専用メモリ、ランダムアクセスメモリ、磁気ディスク又は光ディスク等のプログラムコードを記憶できる各種の媒体を含む。
【０１２５】
上記内容は本発明の実施例の具体的な実施形態に過ぎず、本発明の実施例の保護範囲はこれに限定されるものではなく、当業者が本発明の実施例によって開示された技術の範囲内で容易に想到し得る変化や置換は、いずれも本発明の実施例の保護範囲内に含まれるべきである。従って、本発明の実施例の保護範囲は特許請求の範囲に記載の保護範囲に準じるべきである。
【図１】
2021504994.tif 000003
【図２】
2021504994.tif 000004
【図３】
2021504994.tif 000005
【図４】
2021504994.tif 000006
【図５】
2021504994.tif 000007
【図６】
2021504994.tif 000008
【図７】
2021504994.tif 000009
【手続補正書】
【提出日】令和2年9月14日(2020.9.14)
【手続補正１】
【補正対象書類名】明細書
【補正対象項目名】０００７
【補正方法】変更
【補正の内容】
【０００７】
第１態様ではランダムアクセスの方法を提供し、該方法は、
端末装置がセルサーチによって第１周波数ポイントを取得することと、
前記端末装置がシステムブロードキャストメッセージによってネットワーク装置のサポートする第１周波数帯域を取得することと、
前記端末装置が前記第１周波数ポイントに対応する複数の周波数帯域から、前記端末装置のサポートする第２周波数帯域を決定することと、
前記端末装置が、前記第１周波数帯域と前記第２周波数帯域が同じ周波数帯域であることを決定した場合、前記ランダムアクセスのプロセスを開始することと、を含む。
【手続補正２】
【補正対象書類名】明細書
【補正対象項目名】００１２
【補正方法】変更
【補正の内容】
【００１２】
幾つかの可能な実現方式では、前記端末装置が指示情報を生成する前に、前記方法は更に、
前記端末装置が前記ネットワーク装置から送信された第１マッピング関係情報を受信し、前記第１マッピング関係情報は、前記複数の周波数帯域と複数のリソースとの対応関係を含み、前記複数のリソースのうちの各リソースは、プリアンブル及び／又は物理ランダムアクセスチャネル（ＰＲＡＣＨ）リソースを含むことと、
前記端末装置が前記第２周波数帯域及び前記第１マッピング関係情報に基づいて、前記第２周波数帯域に対応する第１リソースを決定することと、を含み、
前記端末装置が前記ネットワーク装置に前記指示情報を送信することは、
前記端末装置が前記第１リソースを介してランダムアクセスのプロセスを開始し、そして前記第１リソースを介して、前記端末装置のサポートする周波数帯域が前記第２周波数帯域であることを示すことを含む。
【手続補正３】
【補正対象書類名】明細書
【補正対象項目名】００１３
【補正方法】変更
【補正の内容】
【００１３】
幾つかの可能な実現方式では、前記端末装置が指示情報を生成する前に、前記方法は更に、
前記端末装置が前記ネットワーク装置から送信された第２マッピング関係情報を受信し、前記第２マッピング関係情報は、複数のインデックスと前記複数の周波数帯域との対応関係を含み、前記複数のインデックスは互いに異なることと、
前記端末装置が前記第２周波数帯域及び前記第２マッピング関係情報に基づいて、前記第２周波数帯域に対応する第１インデックスを決定することと、を含み、
前記端末装置が前記ネットワーク装置に前記指示情報を送信することは、
前記端末装置が前記ネットワーク装置に前記第１インデックスを送信し、前記第１インデックスは、前記端末装置のサポートする周波数帯域が前記第２周波数帯域であることを示すことに用いられることを含む。
【手続補正４】
【補正対象書類名】明細書
【補正対象項目名】００１４
【補正方法】変更
【補正の内容】
【００１４】
幾つかの可能な実現方式では、前記端末装置が前記ネットワーク装置に前記指示情報を送信することは、
前記端末装置が前記ネットワーク装置に無線リソース制御（ＲＲＣ）メッセージを送信し、前記ＲＲＣメッセージは前記指示情報を含むことを含む。
【手続補正５】
【補正対象書類名】明細書
【補正対象項目名】００１９
【補正方法】変更
【補正の内容】
【００１９】
幾つかの可能な実現方式では、前記ネットワーク装置が前記端末装置から送信された指示情報を受信する前に、前記方法は更に、
前記ネットワーク装置が前記端末装置に第１マッピング関係情報を送信し、前記第１マッピング関係情報は、前記複数の周波数帯域と複数のリソースとの対応関係を含み、前記複数のリソースのうちの各リソースは、プリアンブル及び／又は物理ランダムアクセスチャネル（ＰＲＡＣＨ）リソースを含むことを含み、
前記ネットワーク装置が前記端末装置から送信された指示情報を受信することは、
前記ネットワーク装置が、前記端末装置がランダムアクセスのプロセスを開始する時に使用する第１リソースを決定することと、
前記ネットワーク装置が前記第１マッピング関係情報に基づいて、前記第１リソースに対応する第２周波数帯域を前記端末装置のサポートする周波数帯域として決定することと、を含む。
【手続補正６】
【補正対象書類名】明細書
【補正対象項目名】００２１
【補正方法】変更
【補正の内容】
【００２１】
幾つかの可能な実現方式では、前記ネットワーク装置が前記端末装置から送信された指示情報を受信することは、
前記ネットワーク装置が前記端末装置から送信された無線リソース制御（ＲＲＣ）メッセージを受信し、前記ＲＲＣメッセージは前記指示情報を含むことを含む。
【手続補正７】
【補正対象書類名】明細書
【補正対象項目名】００４１
【補正方法】変更
【補正の内容】
【００４１】
【図１】図１は本発明の応用シーンの例である。
【図２】図２は本発明の実施例のランダムアクセスの方法の模式的なフローチャートである。
【図３】図３は本発明の実施例の周波数スペクトルを報告する方法の模式的なフローチャートである。
【図４】図４は本発明の実施例の端末装置の模式的なブロック図である。
【図５】図５は本発明の実施例の他の端末装置の模式的なブロック図である。
【図６】図６は本発明の実施例のネットワーク装置の模式的なブロック図である。
【図７】図７は本発明の実施例の他のネットワーク装置の模式的なブロック図である。
【手続補正８】
【補正対象書類名】明細書
【補正対象項目名】００４５
【補正方法】変更
【補正の内容】
【００４５】
具体的に、端末装置のアップリンク電力が制限され、且つＮＲの周波数スペクトル（周波数が高く、伝搬損失が高い）の周波数が高いため、ＮＲのアップリンクカバレッジが制限され、アップリンクカバレッジを高めるために、本発明の実施例ではランダムアクセスの方法を提供する。ＬＴＥ周波数スペクトル（相対的に周波数が低い）を補助アップリンクキャリアとして利用することで、アップリンクカバレッジ効果を高めることができる。
【手続補正９】
【補正対象書類名】明細書
【補正対象項目名】００６９
【補正方法】変更
【補正の内容】
【００６９】
例えば、該端末装置は指示情報を生成する前に、該端末装置は該ネットワーク装置から送信された第１マッピング関係情報を受信し、該第１マッピング関係情報は、該複数の周波数帯域と複数のリソースとの対応関係を含み、該複数のリソースのうちの各リソースは、プリアンブル及び／又は物理ランダムアクセスチャネル（ＰＲＡＣＨ）リソースを含み、これにより、端末装置のサポートする周波数帯域が第２周波数帯域である場合、該端末装置は該第２周波数帯域及び該第１マッピング関係情報に基づいて、該第２周波数帯域に対応する第１リソースを決定することができ、それで、該端末装置は該第１リソースを介してランダムアクセスのプロセスを開始し、そして該第１リソースを介して、該端末装置のサポートする周波数帯域が該第２周波数帯域であることを示す。
【手続補正１０】
【補正対象書類名】明細書
【補正対象項目名】００７２
【補正方法】変更
【補正の内容】
【００７２】
また例えば、該端末装置は該ネットワーク装置から送信された第２マッピング関係情報を受信し、該第２マッピング関係情報は、複数のインデックスと該複数の周波数帯域との対応関係を含み、該複数のインデックスは互いに異なり、これにより、端末装置のサポートする周波数帯域が第２周波数帯域である場合、該端末装置は該第２周波数帯域及び該第２マッピング関係情報に基づいて、該第２周波数帯域に対応する第１インデックスを決定することができ、それで、該端末装置は該ネットワーク装置に該第１インデックスを送信し、該第１インデックスは、該端末装置のサポートする周波数帯域が該第２周波数帯域であることを示すことに用いられる。
【手続補正１１】
【補正対象書類名】明細書
【補正対象項目名】００７６
【補正方法】変更
【補正の内容】
【００７６】
例えば、該端末装置は該ネットワーク装置に無線リソース制御（ＲＲＣ）メッセージを送信し、該ＲＲＣメッセージは該指示情報を含む。
【手続補正１２】
【補正対象書類名】明細書
【補正対象項目名】００７７
【補正方法】変更
【補正の内容】
【００７７】
理解されるように、本発明の実施例において、上記端末装置がネットワーク装置に指示情報を送信し、該指示情報の形式は例示的な説明であり、本発明の実施例はこれに限らない。
【手続補正１３】
【補正対象書類名】明細書
【補正対象項目名】００７９
【補正方法】変更
【補正の内容】
【００７９】
例として、本発明の実施例において、第１周波数ポイントは周波数帯域１と周波数帯域２に対応し、該ネットワーク装置のサポートする周波数帯域は周波数帯域１であり、該端末装置のサポートする周波数帯域は周波数帯域２である。そうすると、該端末装置は該端末装置のサポートする周波数帯域が周波数帯域２であることを示してもよく、該端末装置は該端末装置のサポートしない周波数帯域が周波数帯域１であることを示してもよい。
【手続補正１４】
【補正対象書類名】明細書
【補正対象項目名】００９１
【補正方法】変更
【補正の内容】
【００９１】
選択肢として、該送受信ユニット４２０は更に、
該処理ユニット４１０が指示情報を生成する前に、前記ネットワーク装置から送信された第１マッピング関係情報を受信することに用いられ、該第１マッピング関係情報は、該複数の周波数帯域と複数のリソースとの対応関係を含み、該複数のリソースのうちの各リソースは、プリアンブル及び／又は物理ランダムアクセスチャネル（ＰＲＡＣＨ）リソースを含み、
該処理ユニット４１０は更に、
該第２周波数帯域及び該第１マッピング関係情報に基づいて、該第２周波数帯域に対応する第１リソースを決定することと、
該端末装置が該第１リソースを介してランダムアクセスのプロセスを開始し、そして該第１リソースを介して、該端末装置のサポートする周波数帯域が該第２周波数帯域であることを示すこととに用いられる。
【手続補正１５】
【補正対象書類名】明細書
【補正対象項目名】００９２
【補正方法】変更
【補正の内容】
【００９２】
選択肢として、該送受信ユニット４２０は更に、
該処理ユニット４１０が指示情報を生成する前に、該ネットワーク装置から送信された第２マッピング関係情報を受信することに用いられ、該第２マッピング関係情報は、複数のインデックスと該複数の周波数帯域との対応関係を含み、該複数のインデックスは互いに異なり、
該処理ユニット４１０は更に、該第２周波数帯域及び該第２マッピング関係情報に基づいて、該第２周波数帯域に対応する第１インデックスを決定することに用いられ、
該送受信ユニット４２０は更に、該ネットワーク装置に該第１インデックスを送信することに用いられ、該第１インデックスは、該端末装置のサポートする周波数帯域が該第２周波数帯域であることを示すことに用いられる。
【手続補正１６】
【補正対象書類名】明細書
【補正対象項目名】００９３
【補正方法】変更
【補正の内容】
【００９３】
選択肢として、該送受信ユニット４２０は具体的に、
該ネットワーク装置に無線リソース制御（ＲＲＣ）メッセージを送信することに用いられ、該ＲＲＣメッセージは該指示情報を含む。
【手続補正１７】
【補正対象書類名】明細書
【補正対象項目名】０１０４
【補正方法】変更
【補正の内容】
【０１０４】
選択肢として、該送受信ユニット６１０は具体的に、
該端末装置から送信された指示情報を受信する前に、該端末装置に第１マッピング関係情報を送信し、該第１マッピング関係情報は、該複数の周波数帯域と複数のリソースとの対応関係を含み、該複数のリソースのうちの各リソースは、プリアンブル及び／又は物理ランダムアクセスチャネル（ＰＲＡＣＨ）リソースを含むことと、
該端末装置がランダムアクセスのプロセスを開始する時に使用する第１リソースを決定することと、
該第１マッピング関係情報に基づいて、該第１リソースに対応する第２周波数帯域を該端末装置のサポートする周波数帯域として決定することとに用いられる。
【手続補正１８】
【補正対象書類名】明細書
【補正対象項目名】０１０６
【補正方法】変更
【補正の内容】
【０１０６】
選択肢として、該送受信ユニット６１０はより具体的に、
該端末装置から送信された無線リソース制御（ＲＲＣ）メッセージを受信することに用いられ、該ＲＲＣメッセージは該指示情報を含む。
【手続補正１９】
【補正対象書類名】明細書
【補正対象項目名】０１０７
【補正方法】変更
【補正の内容】
【０１０７】
本発明の実施例では他のネットワーク装置を提供し、具体的に、図６に示すように、該ネットワーク装置は、
該端末装置から送信された指示情報を受信することに用いられ、該指示情報は、ネットワーク装置が該端末装置のスケジューリング可能な周波数スペクトルの範囲を決定することに用いられ、又は、該指示情報は、該周波数スペクトルの範囲を示すことに用いられる送受信ユニット６１０と、
該指示情報に基づいて該周波数スペクトルの範囲を決定することに用いられる処理ユニット６２０と、を備える。
【手続補正２０】
【補正対象書類名】特許請求の範囲
【補正対象項目名】全文
【補正方法】変更
【補正の内容】
【特許請求の範囲】
【請求項１】
ランダムアクセスの方法であって、
端末装置がセルサーチによって第１周波数ポイントを取得することと、
前記端末装置が、システムブロードキャストメッセージによってネットワーク装置のサポートする第１周波数帯域を取得することと、
前記端末装置が、前記第１周波数ポイントに対応する複数の周波数帯域から、前記端末装置のサポートする第２周波数帯域を決定することと、
前記端末装置が、前記第１周波数帯域と前記第２周波数帯域が同じ周波数帯域であることを決定した場合、前記ランダムアクセスのプロセスを開始することと、を含むことを特徴とするランダムアクセスの方法。
【請求項２】
前記第１周波数帯域と前記第２周波数帯域が異なる周波数帯域である場合、前記端末装置が指示情報を生成し、前記指示情報は、前記ネットワーク装置が前記端末装置のスケジューリング可能な周波数スペクトルの範囲を決定することに用いられ、又は、前記指示情報は、前記周波数スペクトルの範囲を示すことに用いられることと、
前記端末装置が前記ネットワーク装置に前記指示情報を送信することと、を更に含むことを特徴とする請求項１に記載の方法。
【請求項３】
前記端末装置が指示情報を生成する前に、前記方法は更に、
前記端末装置が前記ネットワーク装置から送信された第１マッピング関係情報を受信し、前記第１マッピング関係情報は、前記複数の周波数帯域と複数のリソースとの対応関係を含み、前記複数のリソースのうちの各リソースは、プリアンブル及び／又は物理ランダムアクセスチャネル（ＰＲＡＣＨ）リソースを含むことと、
前記端末装置が前記第２周波数帯域及び前記第１マッピング関係情報に基づいて、前記第２周波数帯域に対応する第１リソースを決定することと、を含み、
前記端末装置が前記ネットワーク装置に前記指示情報を送信することは、
前記端末装置が前記第１リソースを介してランダムアクセスのプロセスを開始し、そして前記第１リソースを介して、前記端末装置のサポートする周波数帯域が前記第２周波数帯域であることを示すことを含むことを特徴とする請求項２に記載の方法。
【請求項４】
ランダムアクセスの方法であって、
ネットワーク装置がシステムブロードキャストの方式によって端末装置に前記ネットワーク装置のサポートする第１周波数帯域を送信することと、
前記ネットワーク装置が前記端末装置の開始したランダムアクセスのプロセスに応答することと、を含むことを特徴とするランダムアクセスの方法。
【請求項５】
前記方法は更に、
前記ネットワーク装置が前記端末装置から送信された指示情報を受信し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることを含み、
前記ネットワーク装置が前記端末装置の開始したランダムアクセスのプロセスに応答することは、
前記ネットワーク装置が前記周波数スペクトルの範囲に基づいて、前記ランダムアクセスのプロセスに応答することを含むことを特徴とする請求項４に記載の方法。
【請求項６】
前記ネットワーク装置が前記端末装置から送信された指示情報を受信する前に、前記方法は更に、
前記ネットワーク装置が前記端末装置に第１マッピング関係情報を送信し、前記第１マッピング関係情報は、前記複数の周波数帯域と複数のリソースとの対応関係を含み、前記複数のリソースのうちの各リソースは、プリアンブル及び／又は物理ランダムアクセスチャネル（ＰＲＡＣＨ）リソースを含むことを含み、
前記ネットワーク装置が前記端末装置から送信された指示情報を受信することは、
前記ネットワーク装置が、前記端末装置がランダムアクセスのプロセスを開始する時に使用する第１リソースを決定することと、
前記ネットワーク装置が、前記第１マッピング関係情報に基づいて、前記第１リソースに対応する第２周波数帯域を前記端末装置のサポートする周波数帯域として決定することと、を含むことを特徴とする請求項５に記載の方法。
【請求項７】
端末装置がセルサーチによって第１周波数ポイントを取得することと、
前記端末装置が前記第１周波数ポイントに対応する複数の周波数帯域から、前記端末装置のサポートする第２周波数帯域を決定することと、
前記端末装置が前記第２周波数帯域に基づいて指示情報を生成し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることと、
前記端末装置が前記ネットワーク装置に前記指示情報を送信することと、を含むことを特徴とする、周波数スペクトルを報告する方法。
【請求項８】
前記指示情報は、前記端末装置のサポートする周波数帯域が前記第２周波数帯域であることを示すことに用いられることを特徴とする請求項７に記載の方法。
【請求項９】
前記端末装置が前記指示情報に基づいて、前記ネットワーク装置にランダムアクセスのプロセスを開始することを更に含むことを特徴とする請求項７又は８に記載の方法。
【請求項１０】
ネットワーク装置が前記端末装置から送信された指示情報を受信し、前記指示情報は、ネットワーク装置が前記端末装置のスケジューリング可能な周波数スペクトルの範囲を決定することに用いられ、又は、前記指示情報は、前記周波数スペクトルの範囲を示すことに用いられることと、
前記ネットワーク装置が前記指示情報に基づいて、前記周波数スペクトルの範囲を決定することと、を含むことを特徴とする、周波数スペクトルを報告する方法。
【請求項１１】
前記指示情報は、前記端末装置のサポートする周波数帯域が前記第２周波数帯域であることを示すことに用いられることを特徴とする請求項１０に記載の方法。
【請求項１２】
前記ネットワーク装置が前記周波数スペクトルの範囲に基づいて、前記端末装置の開始したランダムアクセスのプロセスに応答することを更に含むことを特徴とする請求項１０又は１１に記載の方法。
【請求項１３】
端末装置であって、請求項１〜３のいずれか一項に記載の方法を実現するように構成される端末装置。
【請求項１４】
ネットワーク装置であって、請求項４〜６のいずれか一項に記載の方法を実現するように構成されるネットワーク装置。
【請求項１５】
端末装置であって、請求項７〜９のいずれか一項に記載の方法を実現するように構成される端末装置。
【請求項１６】
ネットワーク装置であって、請求項１０〜１２のいずれか一項に記載の方法を実現するように構成されるネットワーク装置。
【国際調査報告】
2021504994.tif 000010
2021504994.tif 000011
2021504994.tif 000012
2021504994.tif 000013